(57)【要約】【課題】常時進退動方向に可動となる植毛針に常時前方に向けての弾性を付勢し、ブラシ本体のヘッドに設けた各植毛穴の深さの相違を弾性によって吸収することで、各植毛穴の底部に達するように用毛束を打ち込むことができるブラシの植毛装置を提供する。【解決手段】ブラシの植毛装置において、チャッキング機構で固持されたブラシ本体のヘッド部１に設けた植毛穴２に対して用毛束３を二つ折り状態で打ち込む植毛針１５と、この植毛針１５に進退動を与える揺動アーム２２を、前記揺動アーム２２に対して植毛針１５が進退方向に沿って所定の範囲で可動となるよう結合し、この揺動アーム２２と植毛針１５の間に設けたスプリング３８で、植毛針１５に常時進退動方向の前方に向けての弾性を付勢する。【選択図】図４
2009232969.tif 000002
【特許請求の範囲】
【請求項１】
チャッキング機構で固持されたブラシ本体の植毛穴に対して植毛針をその長さ方向に沿って進退動自在に配置し、前記植毛針の進退動する通過部分に、用毛束供給機構から所定数本の用毛束と、平線供給機構から小片に切断された平線とを供給し、前進動する植毛針の打ち込みによって、前記用毛束を平線で二つ折りにしてブラシ本体の植毛穴に植設するブラシの植毛装置において、
前記植毛針とこの植毛針に進退動を与える揺動アームを、前記揺動アームに対して植毛針が進退方向に所定の範囲で可動となるよう結合し、この揺動アームと植毛針の間に設けた弾性付与機構で、植毛針に常時進退動方向の前方に向けての弾性を付勢したことを特徴とするブラシの植毛装置。
【請求項２】
上記植毛針と揺動アームが、植毛針に進退動方向に沿って設けた長孔を貫通する軸で、この植毛針が進退方向に長孔の範囲で可動となるよう結合され、上記弾性付与機構が、前記軸に取付けたブラケットと、このブラケットに植毛針と同軸心状の配置で取付けた調整ねじと、この調整ねじと植毛針の後端部間に縮設したスプリングとで形成され、前記調整ねじによってスプリングの圧力を調整できるようになっていることを特徴とする請求項１に記載のブラシの植毛装置。
【発明の詳細な説明】
【技術分野】
【０００１】
この発明は、歯ブラシやヘアブラシ等のブラシ製品において、ブラシ本体のヘッド部に毛束を植毛するブラシの植毛装置、更に詳しくは、ヘッド部に設けた植毛穴の底部にまで用毛束を確実に打ち込むことができ、植設した用毛の抜けが生じることのない製品を製造することができるブラシの植毛装置に関する。
【背景技術】
【０００２】
例えば、歯ブラシの製造において、ブラシ本体のヘッド部に設けた植毛穴に用毛束を植設するには、ブラシの植毛装置を用い、ＸＹテーブルのチャッキング機構でブラシ本体のヘッド部を固持し、このヘッド部に設けた植毛穴に対して植毛針をその長さ方向に沿って進退動自在に配置し、前記植毛針の進退動する通過部分に、用毛束供給機構から所定数本の用毛束と、平線供給機構から小片に切断された平線とを供給し、前進動する植毛針の打ち込みによって、前記用毛束を平線で二つ折りにして植毛穴に植設すると共に、ヘッド部をＸＹテーブルで植毛穴の配列に適応した移動を与えることにより、各植毛穴に用毛束を植設するものである（例えば、特許文献１参照）。
【０００３】
ところで、図７（ａ）のように、ブラシ本体１ａのヘッド部１に設けた植毛穴２に用毛束３を植設する場合、植毛穴２の底部２ａに用毛束３の折れ曲がった部分が達し、植毛穴２に打ち込んだ平線４と植毛穴２の底部２ａで用毛束３の折れ曲がった部分を確実に圧縮常態で挟み込むようにしないと、植設した用毛束３から用毛の抜けが生じることになる。
【０００４】
ブラシ本体１ａのヘッド部１がフラットな直線状で、このヘッド部１に設けた各植毛穴２の深さが精度よく一定に形成されている場合、植毛針で平線４を介して用毛束３を二つ折りに打ち込む時の植毛針の前進ストロークを一定に設定しても、植毛穴２の底部２ａに達するように用毛束３を打ち込むことができる。
【０００５】
しかしながら、植毛穴２の深さに誤差があり、植毛穴２の深さが規定よりも深いと、用毛束３の折れ曲がった部分と植毛穴２の底部２ａに隙間が生じ、植毛穴２の底部２ａに達するように用毛束３を打ち込むことができず、植設した用毛束３から用毛の抜けが生じる事態が発生する。
【０００６】
また、歯ブラシの形態として、図７（ｂ）のように、ブラシ本体１ａのヘッド部１を長さ方向に湾曲させ、ブラシの先を湾曲させたものや、ヘッド部の植毛面に段差を設け、用毛束の長さに変化を持たせたものが提案され、前者のヘッド部１が湾曲するものは、各植毛穴２の底部２ａも湾曲の配置となり、深い植毛穴２の底部２ａと浅い植毛穴２の底部２ａには、深さ方向に差Ｈが生じ、また、図示省略したが、後者の段差を設けたヘッド部の場合も、各植毛穴の底部も段差のある配置となる。
【０００７】
上記のように、各植毛穴２の底部２ａが湾曲によって差Ｈや段差のある配置になっている場合、前進ストロークを一定に設定した植毛針で用毛束を打ち込むと、深い植毛穴では底部に達するように用毛束を打ち込むことができなかったり、浅い植毛穴では平線で用毛束を過剰に圧縮し、用毛に切断を生じさせることになり、良好な製品が得られないことになる。
【０００８】
従来、上記のような、各植毛穴の底部に深さの差や段差のある配置の場合の植毛方法としては、植毛装置におる植毛針の前進ストロークを一定とし、ブラシ本体を固持するＸＹテーブルに、植毛針の進退動方向に沿うＺ方向の運動を付加した構造を採用し、植毛時に各植毛穴の底部の深さに応じてブラシ本体を植毛針の進退動方向に移動させ、各植毛穴の底部に達するように用毛束を打ち込むものが考えられている。
【特許文献１】特開２００１−１２０３５９号公報
【発明の開示】
【発明が解決しようとする課題】
【０００９】
しかしながら、ＸＹテーブルに植毛針の進退動方向の運動を付加する方法は、既存のＸＹテーブルを使用することができないと共に、ＸＹテーブルの構造が複雑になるだけでなく、植毛針の進退動方向の運動をコントロールするための制御システムの構築に手間がかかり、各植毛穴の深さの条件が異なるブラシ本体ごとに、対応する制御システムを組まなければならないので、コスト的にも高く付くという問題がある。
【００１０】
そこで、この発明の課題は、一定ストロークを進退動する植毛針に、進退方向に沿って所定の範囲での移動を可動とし、この植毛針に常時進退動方向の前方に向けての弾性を付勢し、各植毛穴の深さの相違を弾性によって吸収することで、各植毛穴の底部に達するように用毛束を打ち込むことができるブラシの植毛装置を提供することにある。
【課題を解決するための手段】
【００１１】
上記のような課題を解決するため、この発明は、チャッキング機構で固持されたブラシ本体の植毛穴に対して植毛針をその長さ方向に沿って進退動自在に配置し、前記植毛針の進退動する通過部分に、用毛束供給機構から所定数本の用毛束と、平線供給機構から小片に切断された平線とを供給し、前進動する植毛針の打ち込みによって、前記用毛束を平線で二つ折りにしてブラシ本体の植毛穴に植設するブラシの植毛装置において、前記植毛針とこの植毛針に進退動を与える揺動アームを、前記揺動アームに対して植毛針が進退方向に所定の範囲で可動となるよう結合し、この揺動アームと植毛針の間に設けた弾性付与機構で、植毛針に常時進退動方向の前方に向けての弾性を付勢した構成を採用したものである。
【００１２】
上記植毛針と揺動アームが、植毛針に進退動方向に沿って設けた長孔を貫通する軸で、この植毛針が進退方向に長孔の範囲で可動となるよう結合され、上記弾性付与機構が、前記軸に取付けたブラケットと、このブラケットに植毛針と同軸心状の配置で取付けた調整ねじと、この調整ねじと植毛針の後端部間に縮設したスプリングとで形成され、前記調整ねじによってスプリングの圧力を調整できるようになっている構造とすることができる。
【００１３】
ここで、上記植毛針は、機台に固定したガイドで長さ方向に沿って上下に進退動するよう保持され、その下部先端が直下に配置したＸＹテーブルの直上に位置するように配置され、上端にスプリング受と、このスプリング受の下の位置に上下に長い長孔が設けられている。
【００１４】
植毛装置の揺動アームは、後端が機台に枢止されたて上下に揺動し、この揺動アームの先端に設けた二又部が、上記植毛針の長孔を設けた部分に嵌まり合い、この長孔を貫通する軸で揺動アームと植毛針が結合され、揺動アームの揺動によって植毛針が上下に進退動するようになっている。
【００１５】
上記軸に取付けたブラケットは、揺動アームの先端と植毛針の上部を覆う下向きコ字状に形成され、その上壁に設けたねじ孔に調整ねじがねじ込まれ、スプリング受内に収納したスプリングをこの調整ねじで圧縮することで、植毛針に常時進退動方向の前方に向けて下向きの弾性を付勢している。
【００１６】
この植毛針は、揺動アームの揺動によって上下に一定ストロークの進退動が付与されることになり、先端の下降限位置が最も深い植毛穴の底部に達するように用毛束を打ち込むことができるように進退動範囲が設定され、浅い植毛穴に用毛束を打ち込んだ場合は、植毛穴の浅くなった分だけスプリングが収縮することで、底部に達するように用毛束を打ち込むことができる。
【発明の効果】
【００１７】
この発明によると、ブラシの植毛装置における植毛針とこの植毛針に進退動を与える揺動アームを、前記揺動アームに対して植毛針が進退方向に所定の範囲で可動となるよう結合し、弾性付与機構で植毛針に常時進退動方向の前方に向けての弾性を付勢したので、揺動アームの揺動によって植毛穴へ用毛束を打ち込む植毛針は、弾性付与機構を介して進退動することになり、植毛穴の深さの誤差や深さの相違をこの弾性付与機構で吸収することができ、従って、植毛穴に深さの誤差や深さの相違があっても、各植毛穴の底部に達するように用毛束を打ち込むことができ、用毛束から用毛が抜けることのない良好な製品が得られる。
【００１８】
また、植毛穴に深さの誤差や深さの相違があっても、各植毛穴の底部に達するように用毛束を打ち込むことができるので、植毛穴の深さ条件の異なる各種ブラシ本体に対して単一の機構で植毛することができる。
【００１９】
更に、植毛針を常時一定ストロークだけ進退動させるだけでよいので、植毛穴の深さの誤差や深さの相違に合わせて植毛針のストロークを制御する必要がなく、構造の簡略化が図れることになると共に、ブラシ本体を固持するＸＹテーブルに加工を施す必要はなく、既存のＸＹテーブルをそのまま使用することができる。
【発明を実施するための最良の形態】
【００２０】
以下、この発明の実施の形態を添付図面に基づいて説明する。
【００２１】
図１と図２のように、ブラシの植毛装置１１は、ベース部材の上部に配置した水平の用毛束供給機構１２と、この用毛束供給機構１２の前進位置に送り出された用毛束３の直下に位置して上下動する二つ折り用のガイド筒１３と、このガイド筒１３の上に位置する用毛束３上に、小片に切断された平線４を側方から供給する平線供給機構１４と、前記ガイド筒１３と同軸心状の配置で上下動し、下降時にガイド筒１３上の用毛束３を平線４と共に押し下げ、用毛束３を二つ折りにしてブラシ本体１ａのヘッド部１に打ち込む植毛針１５と、前記用毛束供給機構１２よりも下方で植毛針１５の直下位置に配置され、ブラシ本体のヘッド部１を固持して平面的に移動するＸＹテーブル１６とを備え、前記植毛針１５は、下降動によってガイド筒１３上の用毛束３を平線４と共に押し下げ、この用毛束３をガイド筒１３内で二つ折りにした状態でブラシ本体１ａのヘッド部１に設けた植毛穴２に打ち込んで植設するようになっている。
【００２２】
上記用毛供束給機構１２は、途中の上縁に計量切欠１７が設けられ、長さ方向に進退移動する水平杆１８の後側上部に、多数本の用毛を前記水平杆１８で下に落ちないように保持された積み重ね状態でストックする収納ケース１９を配置し、水平杆１８が進退動して収納ケース１９の下部を計量切欠１７が出入りすることで、収納ケース１９内の用毛を計量切欠１７内に定量だけ取り込んで用毛束３とし、この水平杆１８が前進して停止することで、図２のように、計量切欠１７内の用毛束３が打ち込みのための定位置となる植毛針１５の直下に送られるようになっている。
【００２３】
また、平線供給機構１４は、ロール巻きされた長尺平線を打ち込みのための定位置に停止する用毛束３の上部に導き出し、この長尺平線を一対の刃物で短い平線４に切断して前記用毛束３の上部に供給するようになっている。
【００２４】
図３は、上記植毛針１５を上下動させる機構を示し、ベース部材の機台２０上に設けたブラケット２１に揺動アーム２２の後端を軸２３で枢止し、揺動アーム２２がこの軸２３を支点に上下に揺動するように配置し、前記機台２０の途中にモータでクラッチを介して回転駆動されるよう設けた回転軸２４のクランク円板２５と前記揺動アーム２２の途中を連杆２６で枢止連結し、回転軸２４の回転により、揺動アーム２２が上下に一定角度を揺動するようにすると共に、この揺動アーム２２の先端に弾性付与機構２７を介して上下に長い植毛針１５を結合した構造になっており、この植毛針１５は、その上端を固定する針取付け軸３１が機台２０に固定したガイド２８で垂直に保持され、揺動アーム２２の揺動によって垂直状態で上下に進退動するようになっている。
【００２５】
図４乃至図６のように、上記揺動アーム２２は、先端に設けた二又部２９に揺動アーム２２の長さ方向に沿う長孔３０が形成され、上記植毛針１５は、上下の位置調整と取り換えが可能となるよう、ガイド２８で保持された針取付け軸３１の下端にビス止めのような手段でその上端が固定されている。
【００２６】
上記針取付け軸３１は、上部となる後端に上面が開口するスプリング受３２と、このスプリング受３２よりも少し下方の位置に上下方向の長孔３３が設けられ、針取付け軸３１の長孔３３を設けた部分が二又部２９間に嵌り込み、揺動アーム２２の長孔３０と針取付け軸３１の長孔３３を貫通する軸３４で揺動アーム２２と針取付け軸３１が結合され、揺動アーム２２の上下揺動によって針取付け軸３１とこれに取付けた植毛針１５が上下に進退動するようになっている。
【００２７】
上記軸３４は、揺動アーム２２の長孔３０に沿って移動可能となり、針取付け軸３１は軸３４に外嵌する長孔３３の範囲で軸３４に対して上下に可動となり、揺動アーム２２の上下揺動によって針取付け軸３１を定位置で垂直移動させることができる。
【００２８】
上記針取付け軸３１と揺動アーム２２の間に設けた弾性付与機構２７は、揺動アーム２２の先端部両側から針取付け軸３１の上部を覆うことのできる下向きコ字状に形成され、両側下端を上記軸３４に結合したブラケット３５と、このブラケット３５の上壁に設けたねじ孔３６にねじ込まれ、針取付け軸３１と同軸心状の配置となる調整ねじ３７と、スプリング受３２内に収まる状態で前記調整ねじ３７とスプリング受３２の底部間に縮設したスプリング３８とで形成され、前記調整ねじ３７のねじ込み又は緩めによってスプリング３８の弾性（圧力）を調整できるようになっている。
【００２９】
上記針取付け軸３１は、スプリング３８による押し下げにより、図４のように、通常は長孔３３の上端が軸３４に当接する状態となり、上記揺動アーム２２が上下に揺動すると、針取付け軸３１とこれに取付けた植毛針１５は、長孔３３と軸３４の関係が前記の状態のまま垂直に上下動することになり、また、スプリング３８を圧縮することによって、この針取付け軸３１は軸３４に対して長孔３３の下端と軸３４の間に生じた空間の範囲で上昇移動が可能となる。
【００３０】
このスプリング３８の弾性は、揺動アーム２２の下方への回動によって植毛針１５が下降動し、用毛束３を植毛穴２の底部に達するように打ち込むまでそのままの状態を維持し、用毛束３が植毛穴２の底部に達した打ち込み状態で、停止する植毛針１５に対して揺動アーム２２が更に下方に移動するのをスプリング３８の収縮によって許容するような弾性に設定されている。
【００３１】
従って、植毛針１５の下降限位置を、ブラシ本体１ａのヘッド部１に設けた最も深い植毛穴２に対して用毛束３を底部に達するように打ち込むことができるように設定しておけば、各植毛穴２の深さに誤差がある場合や、ヘッド部１に設けた各植毛穴２の底部が段差のある配置や円弧状の配置であっても、スプリング３８の収縮によって用毛束３を各植毛穴２の底部に達するように打ち込むことができることになる。
【００３２】
図２のように、上記二つ折りガイド筒１３は、植毛針１５の近接位置にカムと揺動アームで昇降動が付与されるよう配置された垂直の昇降軸３９に取付けられ、上下が開放し外形が下部窄まりの漏斗状で上縁の両側に用毛束の嵌る切欠４０と、上端面の周囲に、切断された平線４をこの二つ折りガイド筒１３の中央位置に誘導するためのスリット４１が形成され、水平杆１８の用毛束３が打ち込みのための定位置に停止すると少し上昇して切欠４０が用毛束３に外嵌し、下降動してきた植毛針１５で押し下げられた用毛束３を二つ折り状にすると共に、この植毛針１５に同調して下降し、ブラシ本体１ａのヘッド部１上に二つ折りの用毛束３を移送するものである。
【００３３】
また、平線供給機構１４は、ロール巻きされた長尺平線を二つ折りガイド筒１３で保持された用毛束３の上部に導き出し、この長尺平線を固定刃と可動刃で短い平線４に切断して前記用毛束３の上部に供給するようになっており、植毛針１５は下降動によりこの短い平線４を介して用毛束３を二つ折りガイド筒１３内に押し下げ、用毛束３を二つ折り状にする。
【００３４】
上記植毛針１５の直下の位置に設置したＸＹテーブル１６は、チャック機構でブラシ本体１ａのヘッド部１を固持した状態で、ヘッド部１に設けた植毛穴２の一つが植毛針１５と同軸心状の配置となるようヘッド部１を保持し、用毛束３の打ち込み完了ごとに各植毛穴２が順次植毛針１５の直下に同軸心状で臨むよう、植毛穴２の配列に応じた軌跡でヘッド部１を移動させるようになっている。なお、植毛対象となるブラシ製品としては、歯ブラシやヘアブラシ等を挙げることができる。
【００３５】
この発明の植毛装置１１は、上記のような構成であり、回転軸２４の初期位置での停止状態で、用毛束供給機構１２は、水平杆１８が退動位置にあって計量切欠１７が収納ケース１９の下にあり、二つ折りガイド筒１３は用毛束供給機構１２の水平杆１８よりも少し低い位置で待機し、揺動アーム２２は上方に傾斜状態で停止し、植毛針１５は上昇位置に引き上げられて二つ折りガイド筒１３の上に抜け出ている。
【００３６】
ＸＹテーブル１６のチャック機構でブラシ本体１ａのヘッド部１を固持し、この状態で、回転軸が一回転すると、用毛束供給機構１２の水平杆１８が前進動し、計量切欠１７で収納ケース１９内の用毛を所定量取り込んで用毛束３とし、この用毛束３の毛先をそろえた状態で前方の打ち込みのための定位置に送り出すと共に、用毛束３が打ち込みのための定位置に停止すると二つ折りガイド筒１３が上昇し、その切欠４０が用毛束３に外嵌し、用毛束供給機構１２から用毛束３を受け取る。
【００３７】
このとき、用毛束供給機構１２の水平杆１８における計量切欠１７は、図２のように、用毛束３を用毛の長さ方向の一方に片寄った位置で支持し、上昇した二つ折りガイド筒１３は、その軸心が用毛束３の長さ方向の中央に一致するように用毛束３を支持すると共に、平線供給機構１４から送り出された短い平線４が、スリット４０から二つ折りガイド筒１３内の用毛束３の上部中央位置に供給される。この短い平線４は植毛穴２の直径よりも少し長くなっている。
【００３８】
これと同時に、揺動アーム２２が下方に回動して植毛針１５が上昇位置から下降し、その下端面で短い平線４を介して用毛束３を長さ方向の中央位置で二つ折りガイド筒１３内に押し込み、二つ折りガイド筒１３内で用毛束３が二つ折り状態になると、この二つ折りガイド筒１３は植毛針１５と等速で下降し、二つ折り状態の用毛束３をＸＹテーブル１６上に固持されたブラシ本体１ａのヘッド部１に向けて移動させる。
【００３９】
ＸＹテーブル１６上に固定したブラシ本体１ａのヘッド部１は、一つの植毛穴２が植毛針１５と同軸心の配置で停止しており、従って、二つ折りガイド筒１３の下端がヘッド部１の上面に当接して停止すると、二つ折り状態となる用毛束３と植毛穴２は同軸心の配置となり、この状態で更に植毛針１５だけが下降すると、二つ折りガイド筒１３の下端から押出された二つ折り状態の用毛束３は、折れ曲がり部分が植毛穴２内に進入し、続いて短い平線４が植毛穴２に向けて打ち込まれ、ヘッド部１に両端が食い込んだ短い平線４は、図７（ａ）で示したように、植毛穴２の底部２ａとで用毛束３の折れ曲がり部分を圧縮して挟み込む位置にまで打ち込まれる。
【００４０】
上記のように、用毛束３を打ち込むと、植毛針１５と二つ折りガイド筒１３は上昇位置に戻り、二つ折りガイド筒１３が用毛束３から抜け出ると共に、用毛束供給機構１２の水平杆１８は後退位置に戻り、このようにして回転軸２４の一回転で一つの植毛穴２に対する用毛束３の打ち込みが完了し、ＸＹテーブル１６は次の植毛穴２が植毛針１５の直下に位置するようにブラシ本体１ａのヘッド部１を移動させ、各部は回転軸２４の一回転ごとに上記のような動作を植毛穴２の数だけ繰り返すことで、ヘッド部１の全植毛穴２に対して用毛束３を植設するものである。
【００４１】
ここで、上記植毛針１５による用毛束３の打ち込みにおいて、揺動アーム２２の揺動によって上下に一定ストロークの進退動が付与される植毛針１５の先端の下降限位置は、ブラシ本体１ａのヘッド部１に設けた植毛穴２の最も深い植毛穴２に対して、植毛穴２の底部に達するように用毛束３を打ち込むことができるように設定されている。
【００４２】
この植毛針１５は、揺動アーム２２の軸３４に対して長孔３３の範囲で上下に可動となり、スプリング３８によって常時下降位置に押し下げられているので、揺動アーム２２による打ち込み力はスプリング３８を介して植毛針１５に伝わることになる。
【００４３】
例えば、上記スプリング３８の圧力（弾性）は、このスプリング３８の弾性を予めセットしたままの状態で、最も深い植毛穴２に対して、用毛束３を植毛穴２の底部に達するように打ち込むことができ、また、用毛束３が植毛穴２の底部に達した打ち込み状態において、停止する植毛針１５に対して揺動アーム２２が更に下方に移動した場合はこれをスプリング３８の収縮によって許容するように設定されている。
【００４４】
このため、深さの浅い植毛穴２に用毛束３を打ち込んだ場合、植毛針１５は、植毛穴２の浅くなった分だけ下降ストロークが短くなるが、植毛穴２の浅くなった分だけスプリング３８が収縮することで揺動アーム２２の揺動を許容し、これによって、深さの異なる植毛穴２に対して用毛束３をその底部に達するように打ち込むことができると共に、ブラシ本体１ａのヘッド部１に過剰な負荷を加えないようにし、ヘッド部１の破損発生を防ぐことができる。
【００４５】
上記のように、深さの異なる植毛穴２に対して用毛束３をその底部に達するように打ち込むことができるので、ヘッド部１がストレートで各植毛穴２の深さに誤差があるブラシ本体や、図７（ｂ）で示したように、ヘッド部１を長さ方向に湾曲させ、各植毛穴２の底部位置が水平線に対して異なるブラシ本体や、ヘッド部１の植毛面に段差を設け、各植毛穴２の深さが異なり、植毛した各用毛束３の先端に段差を持たせたブラシ本体の何れに対しても、単一の装置で植毛することができることになる。
【図面の簡単な説明】
【００４６】
【図１】この発明に係るブラシの植毛装置を示す正面図
【図２】植毛装置における用毛束供給機構と二つ折り用のガイド筒、平線供給機構、植毛針、ブラシ本体のヘッド部の関係を示す斜視図
【図３】植毛装置における植毛針の昇降機構を示す側面図
【図４】植毛針と揺動アームの結合構造と植毛針に対する弾性付与機構を示す拡大した縦断側面図
【図５】植毛針と揺動アームの結合構造と植毛針に対する弾性付与機構を示す拡大した縦断正面図
【図６】図４において、揺動アームが下降動したときの状態を示す拡大した縦断側面図
【図７】（ａ）はブラシ本体のヘッド部に設けた植毛穴に用毛束を打ち込んで植毛した状態を示す拡大した縦断面図、（ｂ）はブラシ本体のヘッド部が湾曲した例を示す縦断面図
【符号の説明】
【００４７】
１          ヘッド部
１ａ        ブラシ本体
２          植毛穴
３          用毛束
４          平線
１１        植毛装置
１２        用毛束供給機構
１３        二つ折り用のガイド筒
１４        平線供給機構
１５        植毛針
１６        ＸＹテーブル
１７        計量切欠
１８        水平杆
１９        収納ケース
２０        機台
２１        ブラケット
２２        揺動アーム
２３        軸
２４        回転軸
２５        クランク円板
２６        連杆
２７        弾性付与機構
２８        ガイド
２９        二又部
３０        長孔
３１        針取付け軸
３２        スプリング受
３３        長孔
３４        軸
３５        ブラケット
３６        ねじ孔
３７        調整ねじ
３８        スプリング
３９        切欠
４０        スリット
【図１】
2009232969.tif 000003
【図２】
2009232969.tif 000004
【図３】
2009232969.tif 000005
【図４】
2009232969.tif 000006
【図５】
2009232969.tif 000007
【図６】
2009232969.tif 000008
【図７】
2009232969.tif 000009